(57)【要約】【課題】単一の反応槽で、硫化水素の存在下、硫黄酸化細菌による硫化水素の酸化と、硝化細菌によるアンモニアの酸化とを同時に行えるメタン発酵生成物の処理方法を提供する。【解決手段】メタン発酵生成物の処理方法は、メタン発酵生成物であるバイオガス２と消化液３とを硫黄酸化細菌と硝化細菌とが共存する単一の反応槽４に供給し、好気条件下、バイオガス２中の硫化水素を硫黄酸化細菌により酸化し、消化液３中のアンモニアを硝化細菌により酸化する。硝化細菌は順次回分式反応槽１１を用いて所定の硫化物負荷速度により馴養された硝化細菌であり、２５６ｍｇ−ＳＬ−１ｄ−１以下の硫化物負荷速度下、硫化水素とアンモニアとを同時に処理する。【選択図】  図１
2019150821.tif 000002
【特許請求の範囲】
【請求項１】
有機性廃棄物のメタン発酵における生成物であるバイオガスと第１の消化液とを硫黄酸化細菌と硝化細菌とが共存する単一の反応槽に供給し、好気条件下、該バイオガス中の硫化水素を該硫黄酸化細菌により酸化する一方、該第１の消化液中のアンモニアを該硝化細菌により酸化するメタン発酵生成物の処理方法であって、
前記硝化細菌は順次回分式反応槽を用いて所定の硫化物負荷速度により馴養された硝化細菌であり、２５６ｍｇ−Ｓ Ｌ−１ｄ−１以下の範囲の硫化物負荷速度下でアンモニアを酸化することを特徴とするメタン発酵生成物の処理方法。
【請求項２】
請求項１記載のメタン発酵生成物の処理方法において、前記硝化細菌は、１２８ｍｇ−Ｓ Ｌ−１ｄ−１以下の範囲の硫化物負荷速度下でアンモニアを酸化することを特徴とするメタン発酵生成物の処理方法。
【請求項３】
請求項１又は請求項２記載のメタン発酵生成物の処理方法において、硫黄酸化細菌と硝化細菌とが共存する単一の反応槽として順次回分式反応槽を用いることを特徴とするメタン発酵生成物の処理方法。
【請求項４】
請求項１乃至請求項３のいずれか１項記載のメタン発酵生成物の処理方法において、前記硝化細菌として、アンモニアを亜硝酸に酸化する細菌のみを用いるか、又はアンモニアを亜硝酸に酸化する細菌と亜硝酸を硝酸に酸化する細菌とを用いることを特徴とするメタン発酵生成物の処理方法。
【請求項５】
請求項１乃至請求項４のいずれか１項記載のメタン発酵生成物の処理方法において、前記反応槽で前記硝化細菌によりアンモニアが酸化された第２の消化液を無希釈のまま培地とし微細藻類の培養を行うことを特徴とするメタン発酵生成物の処理方法。
【請求項６】
請求項５記載のメタン発酵生成物の処理方法において、前記微細藻類を培養する際に該微細藻類の光合成により生成した酸素を前記反応槽に供給し、前記硫黄酸化細菌及び前記硝化細菌の酸素源とすることを特徴とするメタン発酵生成物の処理方法。
【発明の詳細な説明】
【技術分野】
【０００１】
本発明は、メタン発酵生成物の処理方法に関する。
【背景技術】
【０００２】
近年、畜糞、生ゴミ、廃水等の有機性廃棄物を処理するために、該有機性廃棄物を基質として嫌気性菌によりメタン発酵させることが検討されている。前記メタン発酵によれば、その生成物としてバイオガスと消化液とが得られ、バイオガスは発電等の燃料に用いることができ、消化液は微細藻類の栄養源として該微細藻類の培養に用いることができるので、省エネルギーとなるものと考えられる。
【０００３】
ところが、前記バイオガスは、主成分のメタンガスの他に硫化水素を含有し、該硫化水素により機器が腐食されるので、発電等のエネルギーに用いるには硫化水素を除去する必要がある。また、前記消化液は、含有するアンモニアが微細藻類の成長を阻害するので、微細藻類の培養に用いるには多量の水により希釈するかアンモニアを除去する必要がある。
【０００４】
そこで、前記有機性廃棄物や廃水をメタン発酵により処理する際の発酵生成物であるバイオガス中の硫化水素の除去と、消化液中のアンモニアの除去とをそれぞれ別の反応槽を設けて行う方法が知られている。この場合、前記硫化水素は例えば好気条件下で硫黄酸化細菌により生物学的に硫酸態硫黄に酸化することにより前記バイオガスから除去することができ、前記アンモニアは好気条件下で例えば硝化細菌により生物学的に硝酸態窒素に酸化することにより前記消化液から除去することができる。しかし、前記方法では、硫化水素の処理とアンモニアの処理とにそれぞれ別の反応槽を必要とするので、処理に要するコストが増大するという問題がある。
【０００５】
前記問題を解決するために、消化液中のアンモニアを硝化細菌により酸化して硝酸態窒素とする反応槽に硫黄酸化細菌を共存させる一方、バイオガスから除去された硫化水素を該反応槽に供給し、硫化水素の酸化とアンモニアの酸化とを１つの処理槽で行う方法が提案されている（例えば、特許文献１参照）。
【先行技術文献】
【特許文献】
【０００６】
【特許文献１】特開２００９−２４０７９号公報（請求項１、２参照）
【発明の概要】
【発明が解決しようとする課題】
【０００７】
しかしながら、消化液中のアンモニアを硝化細菌により酸化して硝酸態窒素とする反応槽に硫黄酸化細菌を共存させ、該反応槽に硫化水素を供給すると、硝化細菌のアンモニアを酸化する作用が硫化水素により阻害されるという不都合がある。
【０００８】
本発明は、かかる不都合を解消して、単一の反応槽で、硫化水素の存在下、硫黄酸化細菌による硫化水素の酸化と、硝化細菌によるアンモニアの酸化とを同時に行うことができるメタン発酵生成物の処理方法を提供することを目的とする。
【課題を解決するための手段】
【０００９】
かかる目的を達成するために、本発明のメタン発酵生成物の処理方法は、有機性廃棄物のメタン発酵における生成物であるバイオガスと第１の消化液とを硫黄酸化細菌と硝化細菌とが共存する単一の反応槽に供給し、好気条件下、該バイオガス中の硫化水素を該硫黄酸化細菌により酸化する一方、該第１の消化液中のアンモニアを該硝化細菌により酸化するメタン発酵生成物の処理方法であって、前記硝化細菌は順次回分式反応槽を用いて所定の硫化物負荷速度により馴養された硝化細菌であり、２５６ｍｇ−ＳＬ−１ｄ−１以下、好ましくは１２８ｍｇ−ＳＬ−１ｄ−１以下の範囲の硫化物負荷速度下でアンモニアを酸化することを特徴とする。
【００１０】
本発明のメタン発酵生成物の処理方法では、有機性廃棄物のメタン発酵における生成物であるバイオガスと第１の消化液とを硫黄酸化細菌と硝化細菌とが共存する単一の反応槽に供給し、好気条件下、該バイオガス中の硫化水素を該硫黄酸化細菌により酸化する一方、該第１の消化液中のアンモニアを該硝化細菌により酸化するときに、前記硝化細菌として順次回分式反応槽を用いて所定の硫化物負荷速度により馴養された硝化細菌を用いる。
【００１１】
本発明者らの検討によれば、前記硝化細菌は順次回分式反応槽を用いて所定の硫化物負荷速度により馴養することにより、高い硫化物耐性を得ることができ、硫化水素による硫化物負荷速度が２５６ｍｇ−ＳＬ−１ｄ−１以下の範囲であれば、硫化水素に阻害されることなくアンモニアを酸化することができ、１２８ｍｇ−ＳＬ−１ｄ−１以下の範囲であれば、より確実に硫化水素に阻害されることなくアンモニアを酸化することができる。
【００１２】
前記順次回分式反応槽とは、基質の供給、反応、汚泥沈降、上澄み液の排水のサイクルを繰り返し行う処理に用いる反応槽であり、本発明のメタン発酵生成物の処理方法では、前記バイオガス及び前記第１の消化液を基質とする。前記順次回分式反応槽は、前記反応中には排水を行わず、前記汚泥沈降により汚泥が除かれた上澄み液のみが排水対象となるため、硝化細菌の菌体を高濃度で保持することができ、硫化物負荷速度を段階的に高くして硝化細菌を馴養することにより、高い硫化物耐性を備える硝化細菌を得ることができるものと考えられる。
【００１３】
従って、本発明のメタン発酵生成物の処理方法によれば、硫黄酸化細菌と前記のようにして馴養された硝化細菌とが共存する単一の反応槽において、硫化水素の存在下で、硫黄酸化細菌による硫化水素の酸化と、該硝化細菌によるアンモニアの酸化とを同時に行うことができる。
【００１４】
また、本発明のメタン発酵生成物の処理方法では、硫黄酸化細菌と硝化細菌とが共存する単一の反応槽自体を順次回分式反応槽とすることが好ましい。また、前記単一の反応槽は、前記順次回分式反応槽に代えて、連続攪拌槽型反応槽、固定床型反応槽、流動床型反応槽等の反応槽とすることもできる。
【００１５】
ところで、硝化細菌によるアンモニアの一般的な酸化は、アンモニアを亜硝酸に酸化する細菌（アンモニア酸化細菌）によるアンモニア（ＮＨ４＋）を亜硝酸（ＮＯ２−）に酸化する過程と、亜硝酸を硝酸に酸化する細菌（亜硝酸酸化細菌）による亜硝酸（ＮＯ２−）を硝酸（ＮＯ３−）に酸化する過程とからなることが知られている。
【００１６】
そこで、本発明のメタン発酵生成物の処理方法においては、前記硝化細菌として、アンモニアを亜硝酸に酸化する細菌のみを用いるか、又はアンモニアを亜硝酸に酸化する細菌と亜硝酸を硝酸に酸化する細菌とを用いることができる。
【００１７】
また、本発明のメタン発酵生成物の処理方法では、前記反応槽で前記硝化細菌によりアンモニアが酸化された第２の消化液を培地として微細藻類の培養を行うことが好ましい。前記反応槽から得られる第２の消化液は、前記硝化細菌によりアンモニアが酸化されているので、微細藻類の成長を阻害するアンモニアを実質的に含んでいない。従って、前記反応槽から得られる第２の消化液を無希釈のまま直接前記微細藻類の培養に用いることができるため水の消費を省き、さらに省エネルギーかつ低コストとすることができる。
【００１８】
前述のようにして前記微細藻類の培養を行うときには、該微細藻類の光合成により酸素が生成される。そこで、本発明のメタン発酵生成物の処理方法では、前記微細藻類を培養する際に該微細藻類の光合成により生成した酸素を前記反応槽に供給し、前記硫黄酸化細菌及び前記硝化細菌の酸素源とすることが好ましい。このようにすることにより、前記反応槽内を好気条件とするために、該反応槽内に供給される酸素の少なくとも一部を前記光合成により生成した酸素で置き換えることができ、系外から供給する酸素を低減して、さらに省エネルギーかつ低コストとすることができる。
【図面の簡単な説明】
【００１９】
【図１】本発明のメタン発酵生成物の処理方法を示すブロック図。
【図２】本発明に用いる順次回分式反応槽の構成を示す斜視図。
【図３】図２に示す順次回分式反応槽を用いる硝化細菌の馴養方法を示すグラフ。
【図４】Ａは、順次回分式反応槽を用い、１２８ｍｇ−Ｓ Ｌ−１ ｄ−１以下の範囲の硫化物負荷速度下に硫化物負荷速度を段階的に高くしてバイオガス及び第１の消化液を処理したときの排水される第２の消化液に含まれるＮＨ４＋、ＮＯ２−、ＮＯ３−の各濃度及びＮＨ４＋除去率の経時変化を示すグラフ、Ｂは、Ａに対応する排水される第２の消化液に含まれるＨＳ−、ＳＯ４２−の各濃度及びＨＳ−除去率の経時変化を示すグラフ。
【図５】Ａは、順次回分式反応槽を用い、２５６ｍｇ−Ｓ Ｌ−１ ｄ−１以下の範囲の硫化物負荷速度下に硫化物負荷速度を段階的に高くしてバイオガス及び第１の消化液を処理したときの排水される第２の消化液に含まれるＮＨ４＋、ＮＯ２−、ＮＯ３−の各濃度及びＮＨ４＋除去率の経時変化を示すグラフ、Ｂは、Ａに対応する排水される第２の消化液に含まれるＨＳ−、ＳＯ４２−の各濃度及びＨＳ−除去率の経時変化を示すグラフ。
【図６】本発明のメタン発酵生成物の処理方法により得られた第２の消化液を用いて微細藻類の培養を行ったときの微細藻類の量の経時変化を示すグラフ。
【発明を実施するための形態】
【００２０】
次に、添付の図面を参照しながら本発明の実施の形態についてさらに詳しく説明する。
【００２１】
図１に示すように、本実施形態のメタン発酵生成物の処理方法は、まず、メタン発酵槽１で、畜糞、生ゴミ等の有機性廃棄物や食品加工廃水、浸出液等の有機性廃水を基質として、嫌気性菌によりメタン発酵を行わせる。前記嫌気性菌としては、例えば、下水汚泥を処理対象としたメタン発酵処理施設から入手した嫌気性消化汚泥を用いることができる。
【００２２】
メタン発酵槽１はそれ自体公知の装置を用いることができ、メタン発酵もそれ自体公知の方法により行うことができる。この結果、メタン発酵の生成物として、メタンガスを主成分とし硫化水素を含有するバイオガス２と、アンモニアを含有する第１の消化液３とが得られる。
【００２３】
メタン発酵の生成物であるバイオガス２と第１の消化液３とは、次いで、硫黄酸化細菌と硝化細菌とが共存する共存系処理槽４に送られる。尚、図１では、液体の流れを実線で、気体の流れを破線で示している。
【００２４】
前記硫黄酸化細菌としては、例えば、チオバチルス、チオスリックス、ベギアトア、チオマリヌス、シュードモナスス、ヒフォミクロビウム、パラコッカス等を用いることができる。また、前記硝化細菌としては、アンモニアを亜硝酸に酸化する細菌のみを用いるか、又はアンモニアを亜硝酸に酸化する細菌と亜硝酸を硝酸に酸化する細菌とを用いることができる。前記アンモニア酸化細菌としては、例えば、ニトロソモナス、ニトロソロブス、ニトロソコッカス、ニトロソスピラ等を用いることができ、前記亜硝酸酸化細菌としては、例えば、ニトロスピラ、ニトロバクター、ニトロコッカス、ニトロスピナ等を用いることができる。また、前記硝化細菌としては、前記アンモニア酸化細菌と亜硝酸酸化細菌との両方の働きを兼ね備えるものを用いてもよい。また、前記硫黄酸化細菌及び前記硝化細菌としては、廃水処理施設等から入手した好気性汚泥等を用いることもできる。
【００２５】
共存系処理槽４では、前記硫黄酸化細菌及び前記硝化細菌による好気反応の結果、バイオガス２由来の硫化水素（Ｈ２Ｓ）が前記硫黄酸化細菌により酸化（脱硫）されて硫酸イオン（ＳＯ４２−）等の硫化物酸化物が生成される一方、第１の消化液３由来のアンモニア（ＮＨ４＋）が前記硝化細菌により酸化（硝化）されて、亜硝酸態窒素（ＮＯ２−）又は硝酸態窒素（ＮＯ３−）が生成される。
【００２６】
ここで、前記硝化細菌によるアンモニアの酸化は、硫化水素により阻害されることが懸念される。しかし、本実施形態のメタン発酵生成物の処理方法では、前記硝化細菌として、順次回分式反応槽を用い、硫化物負荷速度を段階的に高くして馴養することにより硫化物耐性を向上させた好気性汚泥を用いることにより、２５６ｍｇ−ＳＬ−１ｄ−１以下、好ましくは１２８ｍｇ−ＳＬ−１ｄ−１以下の範囲の硫化物負荷速度下で、該硝化細菌によりアンモニアを硝酸イオン又は亜硝酸イオンに酸化することができる。
【００２７】
前記好気反応の結果、硫化水素及びアンモニアを実質的に含有せず、硫酸イオン（ＳＯ４２−）等の硫化物酸化物及び亜硝酸態窒素（ＮＯ２−）又は硝酸態窒素（ＮＯ３−）を含有する第２の消化液５と、メタンガスを主成分とし硫化水素を実質的に含有しない脱硫ガス６とが生成する。次に、第２の消化液５は共存系処理槽４から取り出され、無希釈のまま微細藻類培養槽７に供給されて、微細藻類の培養に利用される。一方、脱硫ガス６は、共存系処理槽４から取り出され、発電等に利用される。
【００２８】
微細藻類培養槽７で培養される前記微細藻類としては、例えば、クロレラ、ドナリエラ、セネデスムス、ユーグレナ、スピルリナ、ヘマトコッカス、ボツリオコッカス、クラミドモナス、クリプテコディニウム、シュードコリシスチス、テトラセルミス、キートセラス、ナンノクロロプシス、ファエオダクチルム、スケレトネマ、ニッチア、イソクリシス、タラシオシラ、パブロバ等を挙げることができる。
【００２９】
前記微細藻類の培養は、それ自体公知の方法により行うことができ、該微細藻類は光合成を行って増殖する。増殖した前記微細藻類を含有する懸濁液８は、固液分離することにより固形分としての微細藻類を得ることができ、該微細藻類は藻類バイオマスとして、健康食品、飼料等の原料に用いることができる。
【００３０】
一方、微細藻類培養槽７で前記光合成により生成した酸素９を共存系処理槽４に供給することにより、共存系処理槽４内を好気的条件とするために供給される曝気用空気の少なくとも一部を該酸素９で置き換えることができる。
【００３１】
共存系処理槽４は、例えば、図２に示す順次回分式反応槽１１を用いることができる。順次回分式反応槽１１は、バイオガス２と第１の消化液３を基質１２として収容する槽本体１３と、槽本体１３にバイオガス２を供給するバイオガス供給導管１４と、槽本体１３に第１の消化液３を供給する消化液供給導管１５と、空気等の酸素を含む気体を供給する酸素供給導管１６と、槽本体１３から上澄み液（第２の消化液５）を排出する排液導管１７と、槽本体１３から脱硫ガス６を排気する排気導管１８と、基質１２を撹拌する撹拌装置１９とを備えている。
【００３２】
槽本体１３は密閉されており、バイオガス供給導管１４は槽本体１３の底部近傍で基質１２中に開口しており、消化液供給導管１５は基質１２の液面上に開口している。また、酸素供給導管１６は、バイオガス供給導管１４に沿って配設されて、槽本体１３の底部近傍で基質１２中に開口しており、排液導管１７は基質１２の上部液面下に開口している。また、排気導管１８は基質１２の液面の上方に開口している。撹拌装置１９としては、攪拌羽等を用いることができる。
【００３３】
順次回分式反応槽１１は、基質１２の供給を反応時間中に長時間をかけて徐々に行うことで、基質負荷の一時的な増大を避けることができ、阻害物質を含有する基質１２の処理に適すとされる。
【００３４】
共存系処理槽４として、順次回分式反応槽１１を用いるときには、まず、バイオガス供給導管１４からバイオガス２を、消化液供給導管１４から第1の消化液３を、それぞれ所定量ずつ槽本体１３に供給する一方、酸素供給導管１６から所定量の空気等の酸素を含む気体を槽本体１３に供給しつつ、撹拌装置１９の撹拌下に、前記硫黄酸化細菌及び前記硝化細菌による好気反応を所定時間行う。
【００３５】
前記好気反応によれば、バイオガス２由来の硫化水素（Ｈ２Ｓ）が前記硫黄酸化細菌により酸化されて硫酸イオン（ＳＯ４２−）等の硫化物酸化物となる一方、第１の消化液３由来のアンモニア（ＮＨ４＋）が前記硝化細菌により酸化されて亜硝酸態窒素（ＮＯ２−）又は硝酸態窒素（ＮＯ３−）となる。前記好気反応の間に、硫化水素（Ｈ２Ｓ）が前記硫黄酸化細菌により酸化されたバイオガス２は、メタンガスを主成分とし硫化水素を実質的に含有しない脱硫ガス６となり、基質１２の液面上の空間を経て、排気導管１８により槽本体１３から排気される。
【００３６】
前記好気反応の終了後、撹拌装置１９の撹拌を停止すると、前記好気性汚泥が槽本体１３の底部に沈降する一方、硫化水素及びアンモニアを実質的に含有せず、硫酸イオン（ＳＯ４２−）等の硫化物酸化物及び亜硝酸態窒素（ＮＯ２−）又は硝酸態窒素（ＮＯ３−）を含有する第２の消化液５が上澄み液を形成し、排液導管１７により槽本体１３から排水される。
【００３７】
本実施形態のメタン発酵液の処理方法では、順次回分式反応槽１１を、例えば、基質供給及び好気反応２３．５時間、汚泥沈降２０分、排水及び排気１０分の２４時間周期で運転することができる。また、水理学的滞留時間は、例えば、３日とすることができる。
【００３８】
また、順次回分式反応槽１１を用いて、前記硝化細菌（好気性汚泥）の馴養を行うときには、図３に示すように、硫化物負荷速度を０〜２５６ｍｇ−ＳＬ−１ｄ−１まで段階的に大きくすることを除いて、基質１２の処理と同様にして行うことができる。硫化物負荷速度を大きくして行く場合の各段階は、１８日間以上とすることが、前記硝化細菌（好気性硝化汚泥）に各段階における硫化物負荷速度に対応する硫化物耐性を付与する上で好ましい。
【００３９】
次に、本発明の実施例及び比較例を示す。
【実施例】
【００４０】
〔実施例１〕
本実施例では、有効容積２．１Ｌの順次回分式反応槽１１に、前記硫黄酸化細菌と前記硝化細菌とを含む好気性汚泥（し尿・生活排水処理施設、メタン発酵脱水ろ液処理施設等の廃水処理施設等から入手）を収容し、基質１２としてメタン発酵処理施設から入手したメタン発酵消化液（アンモニアをＮＨ４＋として約８７０ｍｇ−ＮＬ−１含有、アンモニア負荷速度２９０ｍｇ−ＮＬ−１ｄ−１、本発明の第１の消化液に相当する）に、硫化水素を含有するバイオガス２の代替として所定の硫化物負荷濃度の硫化水素ナトリウム（ＮａＨＳ）溶液を添加したものを供給して、水理学的滞留時間３日、温度３０℃、ｐＨ７．５、溶存酸素濃度約３．０ｍｇＬ−１とし、基質供給及び好気反応２３．５時間、汚泥沈降２０分、排水及び排気１０分の２４時間周期で１５２日間運転した。
【００４１】
本実施例では、前記メタン発酵消化液にＮａＨＳ溶液を添加した基質１２がメタン発酵生成物に相当する。
【００４２】
また、本実施例では、前記運転中、最初の４８日間は硫化物負荷濃度０ｍｇ−Ｓ Ｌ−１ ｄ−１、次の２４日間は硫化物負荷濃度３２ｍｇ−ＳＬ−１ｄ−１、次の２４日間は硫化物負荷濃度６４ｍｇ−ＳＬ−１ｄ−１、次の１８日間は硫化物負荷濃度１２８ｍｇ−ＳＬ−１ｄ−１として、段階的に硫化物負荷濃度を大きくして前記硝化細菌（好気性汚泥）の馴養を行った。そして、前記馴養後、該馴養により硫化物耐性が向上した前記硝化細菌（好気性汚泥）を用い、硫化物負荷濃度１２８ｍｇ−ＳＬ−１ｄ−１で３８日間運転し、模擬的にメタン発酵生成物の処理を行った。
【００４３】
本実施例では、供給した基質と、前記２４時間周期ごとに排水される第２の消化液５とに含まれるＮＨ４＋、ＮＯ２−、ＮＯ３−の各濃度を測定し、ＮＨ４＋の濃度から次式によりＮＨ４＋除去率を算出した。
【００４４】
ＮＨ４＋除去率（％）＝
（（基質のＮＨ４＋濃度−排水のＮＨ４＋濃度）／基質のＮＨ４＋濃度）×１００
結果を図４Ａに示す。
【００４５】
また、供給した基質と、前記２４時間周期ごとに排水される第２の消化液５とに含まれるＨＳ−、ＳＯ４２−の各濃度を測定し、ＨＳ−の濃度から次式によりＨＳ−除去率を算出した。
【００４６】
ＨＳ−除去率（％）＝
（（基質のＨＳ−濃度−排水のＨＳ−濃度）／基質のＨＳ−濃度）×１００
結果を図４Ｂに示す。
【００４７】
図４Ａから、実施例１のメタン発酵生成物の処理方法によれば、前述のように段階的に硫化物負荷濃度を大きくして９６日間の馴養を行った硝化細菌を用いることにより、１２８ｍｇ−ＳＬ−１ｄ−１以下の範囲の硫化物負荷速度下でアンモニア（ＮＨ４＋）及び亜硝酸態窒素（ＮＯ２−）の残存がなく、硝酸態窒素（ＮＯ３−）のみ残存しており、アンモニア（ＮＨ４＋）が硝酸態窒素（ＮＯ３−）に酸化されていることがわかる。一方、図４Ｂから、実施例１のメタン発酵生成物の処理方法によれば、前記アンモニアの酸化と同時に、１２８ｍｇ−ＳＬ−１ｄ−１以下の範囲の硫化物負荷速度下で硫化水素（ＨＳ−）の残存がなく、硫酸イオン（ＳＯ４２−）が残存しており、硫化水素（ＨＳ−）が硫酸イオン（ＳＯ４２−）等の硫化物酸化物に酸化されていることがわかる。
【００４８】
従って、図４Ａ、４Ｂから、実施例１のメタン発酵生成物の処理方法によれば、単一の反応槽で、１２８ｍｇ−Ｓ Ｌ−１ｄ−１以下の範囲の硫化物負荷速度下、硫黄酸化細菌による硫化水素の酸化と、硝化細菌によるアンモニアの酸化とを同時に行うことができることが明らかである。
【００４９】
〔実施例２〕
本実施例では、有効容積２．１Ｌの順次回分式反応槽１１を実施例１と全く同一の２４時間周期で１４０日間運転し、最初の１８日間は硫化物負荷濃度０ｍｇ−ＳＬ−１ｄ−１、次の３０日間は硫化物負荷濃度３２ｍｇ−ＳＬ−１ｄ−１、次の２４日間は硫化物負荷濃度６４ｍｇ−ＳＬ−１ｄ−１、次の２４日間は硫化物負荷濃度１２８ｍｇ−ＳＬ−１ｄ−１、次の４４日間は硫化物負荷濃度２５６ｍｇ−ＳＬ−１ｄ−１として、段階的に硫化物負荷濃度を大きくして前記硝化細菌（好気性汚泥）の馴養を行った以外は、実施例１と全く同一にして模擬的にメタン発酵生成物の処理を行った。
【００５０】
また、本実施例では、供給した基質と、前記２４時間周期ごとに排水される第２の消化液５とに含まれるＮＨ４＋、ＮＯ２−、ＮＯ３−の各濃度を測定し、ＮＨ４＋の濃度から実施例１と同一にしてＮＨ４＋除去率を算出した。結果を図５Ａに示す。
【００５１】
また、供給した基質と、前記２４時間周期ごとに排水される第２の消化液５とに含まれるＨＳ−、ＳＯ４２−の各濃度を測定し、ＨＳ−の濃度から実施例１と同一にしてＨＳ−除去率を算出した。結果を図５Ｂに示す。
【００５２】
図５Ａから、実施例２のメタン発酵生成物の処理方法によれば、前述のように段階的に硫化物負荷濃度を大きくして９６日間の馴養を行った硝化細菌を用いることにより、２６６ｍｇ−ＳＬ−１ｄ−１以下の範囲の硫化物負荷速度下では一時的にアンモニア（ＮＨ４＋）の残存が認められるものの、その後はアンモニア（ＮＨ４＋）の残存がなく、亜硝酸態窒素（ＮＯ２−）及び硝酸態窒素（ＮＯ３−）が残存しており、アンモニア（ＮＨ４＋）が亜硝酸態窒素（ＮＯ２−）又は硝酸態窒素（ＮＯ３−）に酸化されていることがわかる。一方、図５Ｂから、実施例２のメタン発酵生成物の処理方法では、前記アンモニアの酸化と同時に、２５６ｍｇ−ＳＬ−１ｄ−１以下の範囲の硫化物負荷速度下で硫化水素（ＨＳ−）の残存がなく、硫酸イオン（ＳＯ４２−）が残存しており、硫化水素（ＨＳ−）が硫酸イオン（ＳＯ４２−）等の硫化物酸化物に酸化されていることがわかる。
【００５３】
従って、図５Ａ、５Ｂから、実施例２のメタン発酵生成物の処理方法によれば、単一の反応槽で、２５６ｍｇ−Ｓ Ｌ−１ｄ−１以下の範囲の硫化物負荷速度下、硫黄酸化細菌による硫化水素の酸化と、硝化細菌によるアンモニアの酸化とを同時に行うことができることが明らかである。
【００５４】
〔実施例３〕
本実施例では、１０ｍＬ試験管に、初期ｐＨをＨＣｌを用いて７．５に調整した培地６ｍＬに、微細藻類（Chlorella sorokiniana (NIES 2173株)）を播種し、２５℃の温度、１００μｍｏｌ−ｐｈｏｔｏｎｓ  ｍ−２  ｓ−１の光量子束密度下で、１日２回撹拌して培養した。
【００５５】
前記培地としては、硝化後消化液（実施例２で得られた９３日目の排液、本発明の第２の消化液に相当）、Ｃ培地（国立研究開発法人国立環境研究所微生物系統保存施設（ＮＩＥＳコレクション）で前記微細藻類の保存に使用している人工培地）、無処理消化液（実施例１及び実施例２で用いたものと同一のメタン発酵処理施設から入手したメタン発酵消化液（本発明の第１の消化液に相当）を本発明のメタン発酵生成物の処理方法により処理していない消化液）を無希釈、３倍希釈、６倍希釈、１０倍希釈したものの６種を用いた。無処理消化液の希釈には超純水を使用した。なお、全ての培地に微細藻類の炭素源としてＮａＨＣＯ３を４．２ｇＬ−１となるように添加し、Ｃ培地以外の培地にはＣ培地の構成成分であるＭｇＳＯ４・７Ｈ２Ｏ及び微量金属溶液（ＰＩＶｍｅｔａｌｓ）をＣ培地と同じ濃度で添加した。
【００５６】
次に、前記各培地で培養した微細藻類の濃度を１日毎に波長７５０ｎｍの光線の吸光度を指標として測定した。結果を図６に示す。
【００５７】
図６から、前記培地として、硝化後消化液を用いたものでは、Ｃ培地を用いたものと同等の濃度となり、同等に増殖することを示すのに対し、無処理消化液を無希釈、３倍希釈、６倍希釈、１０倍希釈して用いたものはＣ培地を用いたものに比較して濃度が低く、増殖が抑制されていることがわかる。
【００５８】
従って、本発明のメタン発酵生成物の処理方法によれば、硫黄酸化細菌と硝化細菌とが共存する単一の反応槽で前記硝化細菌によりアンモニアが酸化された第２の消化液を無希釈のまま培地とし微細藻類の培養に用いることができることが明らかである。
【符号の説明】
【００５９】
１…メタン発酵槽、  ２…バイオガス、  ３…第１の消化液、  ４…共存系処理槽、  ５…第２の消化液、  ６…脱硫ガス、  ７…微細藻類培養槽、  ９…酸素、  １１…順次回分式反応槽。
【図１】
2019150821.tif 000003
【図２】
2019150821.tif 000004
【図３】
2019150821.tif 000005
【図４】
2019150821.tif 000006
【図５】
2019150821.tif 000007
【図６】
2019150821.tif 000008